(57)【特許請求の範囲】
【請求項１】
振動弁を弾いて音を奏でるオルゴール装置であって、
前記振動弁と上下方向に対向する位置から前記振動弁と上下方向に対向しない位置までの間を前記振動弁の長さ方向に変形又は移動可能な、前記振動弁を弾く弾弁手段と、
前記弾弁手段の先端が前記振動弁の上方から前記振動弁の下方までの間を移動するように前記弾弁手段を上下方向に揺動可能に支持する支持手段と、
前記弾弁手段を駆動する駆動手段と、
前記弾弁手段の先端が、前記振動弁の下方の第１基準位置から前記振動弁を弾いて前記振動弁の上方の第２基準位置まで移動するように、前記駆動手段により駆動される前記弾弁手段を案内する第１案内手段と、
前記弾弁手段の先端が、前記第２基準位置から前記振動弁と接触せずに前記第１基準位置まで移動するように、前記弾弁手段を案内する第２案内手段とを備え、
前記弾弁手段は、当該弾弁手段の上部に設けられた第１被ガイド部材と、当該弾弁手段の下部に設けられた第２被ガイド部材とを有し、
前記第１案内手段は、前記第１被ガイド部材の上方に配置され、前記弾弁手段の先端が、前記第１基準位置から前記振動弁を弾いて前記第２基準位置まで移動するように前記第１被ガイド部材を案内し、
前記第２案内手段は、前記第２被ガイド部材の下方に配置され、前記弾弁手段の先端が、前記第２基準位置から前記振動弁と接触せずに前記第１基準位置まで移動するように前記第２被ガイド部材を案内することを特徴とするオルゴール装置。
【発明の詳細な説明】
【技術分野】
【０００１】
本発明は、振動弁を弾いて音を奏でるオルゴール装置及びこれを用いて演奏を行うシステムに係り、特に、全体の駆動構造を簡素化してコストの低減を図り、既存のオルゴールへの適用も可能で駆動制御も簡素化するのに好適なオルゴール装置、オルゴール演奏システム及び演奏データ配信端末に関する。
【背景技術】
【０００２】
従来、オルゴールの自動演奏装置としては、例えば、特許文献１〜４記載の技術が知られている。
【０００３】
特許文献１記載の技術は、共鳴箱にオルゴールの振動弁と、支え台、スプリング、可変ロッド、支点により保持されたアームにソレノイドを組み合わせたものを、振動弁が有する歯の数の分だけ設け、さらにコントロール部を設けたものである。
【０００４】
特許文献２記載の技術は、オルゴールに再生装置とコンロール・ユニットを設け、オルゴールの振動弁に対して交互に設けられた上用ロッド及び下用ロッドの一端にロッド受けを設け、２つのモータ、上用モータギヤ及び下用モータギヤ、そしてギヤ受けに保持された上用ギヤ及び下用ギヤを設けたものである。
【０００５】
特許文献３記載の技術は、フロッピー（登録商標）ディスク又はコンパクトディスク再生機からの再生信号である音響信号を、アンプと変換器に入力し、アンプへの音響信号は増幅されスピーカにて放音され、変換器への音響信号は駆動信号へと変化し、駆動信号はソレノイド・プランジャを動作させ、その動作を、ガイドの溝の軌跡運動に変え、上弁用ピン又は下弁用ピンによって、オルゴールの振動弁を鳴らすものである。
【０００６】
特許文献４記載の技術は、外部メモリ及びキーボードスイッチの外部信号によりソレノイド等電気駆動系を動作させオルゴール鍵を弾いて発音させるプレイヤであって、レバーの一端をスプリングワッシャにて予圧をかけ摩擦摺動回転させレバーの他端にピンを介して回転自在なＬ字型ブラケットを設け、レリースワイヤを押し上げることによりＬ字型ブラケットの先端がボックス運動をするものである。
【先行技術文献】
【特許文献】
【０００７】
【特許文献１】特開２０００−２３５３８７号公報
【特許文献２】実開平６−６０８９５号公報
【特許文献３】実開平６−３７８９４号公報
【特許文献４】実開昭６３−１４０５９８号公報
【発明の概要】
【発明が解決しようとする課題】
【０００８】
しかしながら、特許文献１記載の技術にあっては、支点に支持されたアームを介してソレノイドで可変ロッドを駆動するというアーム構造を採用するとともに、可変ロッドが振動弁を弾いた後に振動弁との接触を回避するために可変ロッドが一旦横に回転して元に戻るという弾弁（振動弁を弾くことをいう。以下同様。）運動構造を採用しているので、振動弁と振動弁の間隔を広くしなければならない上、全体の駆動構造が複雑となり、コストの上昇を招く可能性があるという問題があった。また、振動弁を逆向きに取り付けなければならず、既存のオルゴールに適用することができないという問題もあった。
【０００９】
また、特許文献２記載の技術にあっては、高さ方向に部品を３層に配置する３層構造を採用しているので、全体の駆動構造が複雑となり、コストの上昇を招く可能性があるという問題があった。また、上用ロッドのピンを初期位置に停止させるためにモータ制御を行う必要があるので、駆動制御が複雑となるという問題もあった。
【００１０】
また、特許文献３記載の技術にあっては、上用ピンが振動弁を弾いた後に振動弁との接触を回避するために重りを用いるという弾弁運動構造を採用するとともに、高さ方向に部品を４層に配置する４層構造を採用しているので、全体の駆動構造が複雑となり、コストの上昇を招く可能性があるという問題があった。
【００１１】
また、特許文献４記載の技術にあっては、振動弁を弾くＬ字型ブラケットを駆動する弾弁運動構造が複雑であるので、全体の駆動構造が複雑となり、コストの上昇を招く可能性があるという問題があった。
【００１２】
そこで、本発明は、このような従来の技術の有する未解決の課題に着目してなされたものであって、全体の駆動構造を簡素化してコストの低減を図り、既存のオルゴールへの適用も可能で駆動制御も簡素化するのに好適なオルゴール装置、オルゴール演奏システム及び演奏データ配信端末を提供することを目的としている。
【課題を解決するための手段】
【００１３】
〔発明１〕  上記目的を達成するために、発明１のオルゴール装置は、振動弁を弾いて音を奏でるオルゴール装置であって、前記振動弁と上下方向に対向する位置から前記振動弁と上下方向に対向しない位置までの間を前記振動弁の長さ方向に変形又は移動可能な、前記振動弁を弾く弾弁手段と、前記弾弁手段の先端が前記振動弁の上方から前記振動弁の下方までの間を移動するように前記弾弁手段を上下方向に揺動可能に支持する支持手段と、前記弾弁手段を駆動する駆動手段と、前記弾弁手段の先端が、前記振動弁の下方の第１基準位置から前記振動弁を弾いて前記振動弁の上方の第２基準位置まで移動するように、前記駆動手段により駆動される前記弾弁手段を案内する第１案内手段と、前記弾弁手段の先端が、前記第２基準位置から前記振動弁と接触せずに前記第１基準位置まで移動するように、前記弾弁手段を案内する第２案内手段とを備える。
【００１４】
このような構成であれば、駆動手段により弾弁手段が駆動されると、第１案内手段により、駆動された弾弁手段が案内される。弾弁手段は、振動弁の長さ方向に変形又は移動可能で、支持手段により上下方向に揺動可能に支持されているので、駆動手段による駆動及び第１案内手段の案内により、弾弁手段の先端は、第１基準位置から振動弁を弾いて第２基準位置まで移動する。
【００１５】
そして、第２案内手段により、弾弁手段が案内される。弾弁手段は、振動弁の長さ方向に変形又は移動可能で、支持手段により上下方向に揺動可能に支持されているので、第２案内手段の案内により、弾弁手段の先端は、第２基準位置から振動弁と接触せずに第１基準位置まで移動する。
【００１６】
ここで、第１案内手段及び第２案内手段は、一体に構成されていてもよいし、別体に構成されていてもよい。
【００１７】
また、弾弁手段は、振動弁の下方に配置されていてもよいし、振動弁の上方に配置されていてもよい。
【００１８】
また、駆動手段は、弾弁手段を駆動するものであればよく、例えば、弾弁手段の下方に配置され弾弁手段を下方から押し上げるものであってもよいし、弾弁手段の上方に配置され弾弁手段を上方から押し下げるものであってもよい。
【００１９】
また、駆動手段としては、例えば、ソレノイド、圧電素子、モータその他のアクチュエータが含まれる。
【００２０】
〔発明２〕  さらに、発明２のオルゴール装置は、発明１のオルゴール装置において、前記弾弁手段は、被ガイド部材を有し、前記第１案内手段及び前記第２案内手段は、前記弾弁手段の先端が、前記第１基準位置から前記振動弁を弾いて前記第２基準位置まで移動するように前記被ガイド部材を案内する第１案内路と、前記第１案内路と接続し、前記弾弁手段の先端が、前記第２基準位置から前記振動弁と接触せずに前記第１基準位置まで移動するように前記被ガイド部材を案内する第２案内路とが形成されたガイドレールである。
【００２１】
このような構成であれば、駆動手段により弾弁手段が駆動されると、弾弁手段の被ガイド部材は、第１案内路に沿って案内される。これにより、弾弁手段の先端は、第１基準位置から振動弁を弾いて第２基準位置まで移動する。
【００２２】
そして、弾弁手段の被ガイド部材は、第１案内路に接続された第２案内路に導かれ、第２案内路に沿って案内される。これにより、弾弁手段の先端は、第２基準位置から振動弁と接触せずに第１基準位置まで移動する。
【００２３】
〔発明３〕  さらに、発明３のオルゴール装置は、発明１のオルゴール装置において、前記弾弁手段は、当該弾弁手段の上部に設けられた第１被ガイド部材と、当該弾弁手段の下部に設けられた第２被ガイド部材とを有し、前記第１案内手段は、前記第１被ガイド部材の上方に配置され、前記弾弁手段の先端が、前記第１基準位置から前記振動弁を弾いて前記第２基準位置まで移動するように前記第１被ガイド部材を案内し、前記第２案内手段は、前記第２被ガイド部材の下方に配置され、前記弾弁手段の先端が、前記第２基準位置から前記振動弁と接触せずに前記第１基準位置まで移動するように前記第２被ガイド部材を案内する。
【００２４】
このような構成であれば、駆動手段により弾弁手段が駆動されると、弾弁手段の上部に設けられた第１被ガイド部材は、第１被ガイド部材の上方に配置された第１案内手段により案内される。これにより、弾弁手段の先端は、第１基準位置から振動弁を弾いて第２基準位置まで移動する。
【００２５】
そして、弾弁手段の下部に設けられた第２被ガイド部材は、第２被ガイド部材の下方に配置された第２案内手段により案内される。これにより、弾弁手段の先端は、第２基準位置から振動弁と接触せずに第１基準位置まで移動する。
【００２６】
〔発明４〕  さらに、発明４のオルゴール装置は、発明１乃至３のいずれか１のオルゴール装置において、前記弾弁手段の先端が前記第１基準位置に移動するように前記弾弁手段を付勢する付勢手段を備える。
【００２７】
このような構成であれば、弾弁手段は、付勢手段の付勢力によって、第２案内手段により案内される。これにより、弾弁手段の先端は、第２基準位置から振動弁と接触せずに第１基準位置まで移動する。
【００２８】
〔発明５〕  さらに、発明５のオルゴール装置は、発明１乃至４のいずれか１のオルゴール装置において、前記駆動手段は、前記支持手段よりも前記弾弁手段の先端側に配置され、前記弾弁手段を下方から押し上げる。
【００２９】
このような構成であれば、支持手段よりも弾弁手段の先端側に配置された駆動手段により、弾弁手段は、下方から押し上げられることにより上方向に駆動される。
【００３０】
ここで、駆動手段は、ソレノイドで構成することが考えられるが、例えば、エンジン機構のように回転運動を上下運動に変換する機構とモータの組み合わせにより構成することもできる。以下、発明６のオルゴール装置において同じである。
【００３１】
〔発明６〕  さらに、発明６のオルゴール装置は、発明１乃至５のいずれか１のオルゴール装置において、前記駆動手段は、前記支持手段よりも前記弾弁手段の末端側に配置され、前記弾弁手段を上方から押し下げる。
【００３２】
このような構成であれば、支持手段よりも弾弁手段の末端側に配置された駆動手段により、弾弁手段は、上方から押し下げられることにより下方向に駆動される。
【００３３】
〔発明７〕  さらに、発明７のオルゴール装置は、発明１乃至６のいずれか１のオルゴール装置において、演奏データを取得する演奏データ取得手段と、前記演奏データ取得手段で取得した演奏データに基づいて前記駆動手段を制御する駆動制御手段とを備える。
【００３４】
このような構成であれば、演奏データ取得手段により、演奏データが取得され、駆動制御手段により、取得された演奏データに基づいて駆動手段が制御される。
【００３５】
ここで、演奏データ取得手段は、例えば、入力装置等から演奏データを入力してもよいし、外部の端末等から演奏データを獲得又は受信してもよいし、記憶装置や記憶媒体等から演奏データを読み出してもよいし、情報処理等により演奏データを生成し又は算出してもよい。したがって、取得には、少なくとも入力、獲得、受信、読出（検索を含む。）、生成及び算出が含まれる。以下、取得の概念については同じである。
【００３６】
〔発明８〕  一方、上記目的を達成するために、発明８のオルゴール演奏システムは、発明１乃至７のいずれか１のオルゴール装置と、演奏データを配信する演奏データ配信端末とを通信可能に接続し、前記オルゴール装置により演奏を行うオルゴール演奏システムであって、前記演奏データ配信端末は、前記演奏データを前記オルゴール装置に送信する演奏データ配信手段を有し、前記オルゴール装置は、前記演奏データを受信する演奏データ受信手段と、前記演奏データ受信手段で受信した演奏データに基づいて前記駆動手段を制御する駆動制御手段とを有する。
【００３７】
このような構成であれば、演奏データ配信端末では、演奏データ配信手段により、演奏データがオルゴール装置に送信される。
【００３８】
オルゴール装置では、演奏データ受信手段により演奏データを受信すると、駆動制御手段により、受信した演奏データに基づいて駆動手段が制御される。
【００３９】
ここで、本システムは、単一の装置、端末その他の機器として実現するようにしてもよいし、複数の装置、端末その他の機器を通信可能に接続したネットワークシステムとして実現するようにしてもよい。後者の場合、各構成要素は、それぞれ通信可能に接続されていれば、複数の機器等のうちいずれに属していてもよい。
【００４０】
〔発明９〕  一方、上記目的を達成するために、発明９の演奏データ配信端末は、発明８のオルゴール演奏システムにおける演奏データ配信端末である。
【発明の効果】
【００４１】
以上説明したように、発明１のオルゴール装置によれば、振動弁の長さ方向に変形又は移動可能な弾弁手段を揺動可能に支持し、駆動手段で弾弁手段を駆動して第１案内手段及び第２案内手段で案内するという簡素な弾弁運動構造を採用しているので、従来に比して、全体の駆動構造を簡素化してコストの低減を図ることができる。また、振動弁を逆向きに取り付ける必要がないので、既存のオルゴールへの適用も可能となる。さらに、初期位置に停止させるための制御も不要となるので、従来に比して、駆動制御も簡素化することができる。
【００４２】
さらに、発明２のオルゴール装置によれば、第１案内手段及び第２案内手段として、第１案内路及び第２案内路が形成されたガイドレールを設けるだけでよいので、全体の駆動構造をさらに簡素化することができる。
【００４３】
さらに、発明３のオルゴール装置によれば、第１案内手段が、折り返しのない軌跡に沿って第１被ガイド部材を案内する構成であり、また、第２案内手段も、折り返しのない軌跡に沿って第２被ガイド部材を案内するという簡素な構成とすることができるので、第１案内手段及び第２案内手段の構成を簡素化することができる。
【００４４】
さらに、発明４のオルゴール装置によれば、弾弁手段が付勢手段の付勢力によって、第２案内手段により案内されるので、弾弁手段の先端を第１基準位置まで比較的容易且つ確実に復帰させることができる。
【００４５】
さらに、発明５のオルゴール装置によれば、弾弁手段を下方から押し上げるだけでよいので、全体の駆動構造をさらに簡素化することができる。
【００４６】
さらに、発明６のオルゴール装置によれば、弾弁手段を上方から押し下げるだけでよいので、全体の駆動構造をさらに簡素化することができる。
【００４７】
さらに、発明７のオルゴール装置によれば、演奏データに基づいた演奏を行うことができる。
【００４８】
一方、発明８のオルゴール演奏システムによれば、演奏データ配信端末から演奏データを入手することで好みの演奏データに基づいた演奏を行うことができる。
【図面の簡単な説明】
【００４９】
【図１】本発明を適用するオルゴール装置１００の構成を示す図である。
【図２】オルゴール装置１００の動作を説明するための図である。
【図３】オルゴール装置１００の動作を説明するための図である。
【図４】本発明を適用するオルゴール装置１００の構成を示す図である。
【図５】オルゴール装置１００の動作を説明するための図である。
【図６】オルゴール装置１００の動作を説明するための図である。
【発明を実施するための形態】
【００５０】
〔第１の実施の形態〕
以下、本発明の第１の実施の形態を説明する。図１乃至図３は、第１の実施の形態を示す図である。
【００５１】
図１は、本発明を適用するオルゴール装置１００の構成を示す図である。
オルゴール装置１００は、図１に示すように、振動弁１０と、振動弁１０を弾くロッド２０と、ロッド２０を支持する支柱３０と、ロッド２０を駆動するソレノイド４０ａ、４０ｂと、ロッド２０を案内するガイドレール５０とを有して構成されている。これらは、図示しない筐体（例えば、オルゴール箱）内に設置されている。
【００５２】
振動弁１０は、各音階ごとに設けられている。例えば、７２音階である場合は、７２個の振動弁１０が設けられる。振動弁１０の構成及び配置については、従来のオルゴールと同様の構成を採用することができる。図１では、発明の理解を容易にするため、そのうち１つの振動弁１０だけを図示している。
【００５３】
ロッド２０は、振動弁１０の長さ方向（以下、「左右方向」という。）に伸長する基軸２１と、基軸２１の先端に取り付けられた弾弁部２２と、基軸２１を支持し支柱３０に固定される支持部２３と、弾弁部２２の上部に設けられた被ガイドアーム２４とを有して構成されている。
【００５４】
弾弁部２２は、基軸２１を内部に嵌合し基軸２１に沿って進退可能となっている。進退の範囲は、左右方向において、振動弁１０と上下方向に対向する位置から振動弁１０と上下方向に対向しない位置までの間である。これにより、弾弁部２２は、振動弁１０を弾く場合は、振動弁１０と接触する位置まで左方向に移動し、振動弁１０を弾き元の位置に復帰する場合は、振動弁１０と接触しない位置まで右方向に移動することができる。
【００５５】
弾弁部２２と支持部２３の間には、弾弁部２２を左方向に付勢するバネ２５が設けられている。
【００５６】
被ガイドアーム２４の上端には、振動弁１０の幅方向（以下、「前後方向」という。）に突出してガイドレール５０に係合する突起部が設けられている。
【００５７】
ガイドレール５０には、案内路５１、５２が形成されている。案内路５１、５２は、上端同士及び下端同士が接続され、環状の経路を形成している。案内路５１は、弾弁部２２の先端が、振動弁１０の下方の位置（以下、「初期位置」という。）から、振動弁１０を弾いて、振動弁１０の右上方の位置（以下、「待避位置」という。）まで移動するように被ガイドアーム２４の突起部を案内する。案内路５２は、弾弁部２２の先端が待避位置から振動弁１０と接触せずに初期位置まで移動するように被ガイドアーム２４の突起部を案内する。
【００５８】
支柱３０は、弾弁部２２の先端が振動弁１０の上方から振動弁１０の下方までの間を移動するようにロッド２０を上下方向に揺動可能に支持する。支柱３０は、バネ等の弾性部材からなり、ロッド２０が上方向に揺動するときに撓み、その復元力によりロッド２０を下方向へ揺動させる付勢力を与える。
【００５９】
ソレノイド４０ａは、ロッド２０の下方で支柱３０よりもロッド２０の先端側に配置されている。ソレノイド４０ａは、通電された場合は、プランジャが突出しロッド２０を下方から押し上げ、通電が解除された場合は、プランジャが引き込みロッド２０から離れる。
【００６０】
ソレノイド４０ｂは、ロッド２０の上方で支柱３０よりもロッド２０の末端側に配置されている。ソレノイド４０ｂは、通電された場合は、プランジャが突出しロッド２０を上方から押し下げ、通電が解除された場合は、プランジャが引き込みロッド２０から離れる。
【００６１】
次に、本実施の形態の動作を説明する。
図２及び図３は、オルゴール装置１００の動作を説明するための図である。
【００６２】
ソレノイド４０ａ、４０ｂが通電されると、ロッド２０は、ソレノイド４０ａ、４０ｂのプランジャに押されることにより弾弁部２２の先端が上方向に移動するように揺動する。ロッド２０が揺動すると、被ガイドアーム２４の突起部は、案内路５１に沿って案内される。ロッド２０は、左右方向に伸縮可能で、上下方向に揺動可能に支持されているので、弾弁部２２の先端は、図２（ａ）〜（ｄ）に示すように、初期位置から振動弁１０を弾いて待避位置まで移動する。これにより、振動弁１０が振動し音が奏でられる。
【００６３】
そして、ソレノイド４０ａ、４０ｂへの通電が解除されると、ソレノイド４０ａ、４０ｂのプランジャがロッド２０から離れるので、ロッド２０は、支柱３０及びバネ２５の付勢力により弾弁部２２の先端が下方向に移動するように揺動する。ロッド２０が揺動すると、被ガイドアーム２４の突起部は、案内路５１に接続された案内路５２に導かれ、案内路５２に沿って案内される。ロッド２０は、左右方向に伸縮可能で、上下方向に揺動可能に支持されているので、弾弁部２２の先端は、図２（ｄ）及び図３（ａ）〜（ｂ）に示すように、待避位置から振動弁１０と接触せずに初期位置まで移動する。
【００６４】
このようにして、本実施の形態では、オルゴール装置１００は、振動弁１０と上下方向に対向する位置から振動弁１０と上下方向に対向しない位置までの間を左右方向に伸縮可能なロッド２０と、弾弁部２２の先端が振動弁１０の上方から振動弁１０の下方までの間を移動するようにロッド２０を上下方向に揺動可能に支持する支柱３０と、ロッド２０を駆動するソレノイド４０ａ、４０ｂと、弾弁部２２の先端が初期位置から振動弁１０を弾いて待避位置まで及び待避位置から振動弁１０と接触せずに初期位置まで移動するようにロッド２０を案内するガイドレール５０とを備える。
【００６５】
これにより、左右方向に伸縮可能なロッド２０を揺動可能に支持し、ソレノイド４０ａ、４０ｂでロッド２０を駆動してガイドレール５０で案内するという簡素な弾弁運動構造を採用しているので、従来に比して、全体の駆動構造を簡素化してコストの低減を図ることができる。また、振動弁１０を逆向きに取り付ける必要がないので、既存のオルゴールへの適用も可能となる。さらに、初期位置に停止させるための制御も不要となるので、従来に比して、駆動制御も簡素化することができる。
【００６６】
さらに、本実施の形態では、ガイドレール５０には、弾弁部２２の先端が初期位置から振動弁１０を弾いて待避位置まで移動するように被ガイドアーム２４の突起部を案内する案内路５１と、弾弁部２２の先端が待避位置から振動弁１０と接触せずに初期位置まで移動するように被ガイドアーム２４の突起部を案内する案内路５２とが形成されている。
【００６７】
これにより、案内路５１、５２が形成されたガイドレール５０を設けるだけでよいので、全体の駆動構造をさらに簡素化することができる。
【００６８】
さらに、本実施の形態では、弾弁部２２の先端が初期位置に移動するようにロッド２０を付勢するバネ２５を備える。
【００６９】
これにより、ロッド２０が支柱３０及びバネ２５の付勢力によって滑落し、ガイドレール５０により案内されるので、弾弁部２２の先端を初期位置まで比較的容易且つ確実に復帰させることができる。
【００７０】
さらに、本実施の形態では、ソレノイド４０ａは、支柱３０よりもロッド２０の先端側に配置され、ロッド２０を下方から押し上げる。
【００７１】
これにより、ロッド２０を下方から押し上げるだけでよいので、全体の駆動構造をさらに簡素化することができる。
【００７２】
さらに、本実施の形態では、ソレノイド４０ｂは、支柱３０よりもロッド２０の末端側に配置され、ロッド２０を上方から押し下げる。
【００７３】
これにより、ロッド２０を上方から押し下げるだけでよいので、全体の駆動構造をさらに簡素化することができる。
【００７４】
本実施の形態において、ロッド２０は、発明１、２、４乃至６の弾弁手段に対応し、被ガイドアーム２４は、発明２の被ガイド部材に対応し、バネ２５は、発明４の付勢手段に対応し、支柱３０は、発明１、５又は６の支持手段に対応し、ソレノイド４０ａ、４０ｂは、発明１、５又は６の駆動手段に対応している。また、ガイドレール５０は、発明１若しくは２の第１案内手段、又は発明１若しくは２の第２案内手段に対応し、案内路５１は、発明２の第１案内路に対応し、案内路５２は、発明２の第２案内路に対応し、初期位置は、発明１、２又は４の第１基準位置に対応している。
【００７５】
また、本実施の形態において、待避位置は、発明１又は２の第２基準位置に対応している。
【００７６】
〔第２の実施の形態〕
次に、本発明の第２の実施の形態を説明する。図４乃至図６は、第２の実施の形態を示す図である。なお、以下、上記第１の実施の形態と異なる部分についてのみ説明し、上記第１の実施の形態と重複する部分については同一の符号を付して説明を省略する。
【００７７】
図４は、本発明を適用するオルゴール装置１００の構成を示す図である。
オルゴール装置１００は、図４に示すように、ガイドレール５０に代えて、ガイド５３、５４を有して構成されている。また、バネ２５は設けられておらず、弾弁部２２は、基軸２１に沿って自由に移動することができる。
【００７８】
弾弁部２２の上部には、被ガイドアーム２４に代えて、被ガイドアーム２６が設けられている。さらに、弾弁部２２の下部には、滑り部材２７が設けられている。
【００７９】
ガイド５３は、被ガイドアーム２６の上方に配置されている。ガイド５３の下面には、弾弁部２２の先端が初期位置から振動弁１０を弾いて待避位置まで移動するように被ガイドアーム２６の上端を案内する軌道が形成されている。弾弁部２２の先端が初期位置にあるときは、ガイド５３の下端が被ガイドアーム２６の左側面に当接して弾弁部２２が左方に移動することが制止されるので、ガイド５３は、弾弁部２２の左方向へのストッパの役割を果たす。
【００８０】
ガイド５４は、滑り部材２７の下方に配置されている。ガイド５４の上面には、弾弁部２２の先端が待避位置から振動弁１０と接触せずに初期位置まで移動するように滑り部材２７の下端を案内する軌道が形成されている。弾弁部２２の先端が待避位置にあるときは、ガイド５４の上端が滑り部材２７の右側面に当接して弾弁部２２が右方に移動することが制止されるので、ガイド５４は、弾弁部２２の右方向へのストッパの役割を果たす。
【００８１】
次に、本実施の形態の動作を説明する。
図５及び図６は、オルゴール装置１００の動作を説明するための図である。
【００８２】
ソレノイド４０ａ、４０ｂが通電されると、ロッド２０は、ソレノイド４０ａ、４０ｂのプランジャに押されることにより弾弁部２２の先端が上方向に移動するように揺動する。ロッド２０が揺動すると、被ガイドアーム２６の上端は、ガイド５３の軌道面に沿って案内される。これにより、弾弁部２２の先端は、図５（ａ）〜（ｄ）に示すように、初期位置から振動弁１０を弾いて待避位置まで移動する。
【００８３】
そして、ソレノイド４０ａ、４０ｂへの通電が解除されると、ソレノイド４０ａ、４０ｂのプランジャがロッド２０から離れるので、ロッド２０は、支柱３０の付勢力により弾弁部２２の先端が下方向に移動するように揺動する。ロッド２０が揺動すると、滑り部材２７の下端は、ガイド５４の軌道面に沿って案内される。これにより、弾弁部２２の先端は、図５（ｄ）及び図６（ａ）〜（ｂ）に示すように、待避位置から振動弁１０と接触せずに初期位置まで移動する。
【００８４】
このようにして、本実施の形態では、オルゴール装置１００は、弾弁部２２の上部に設けられた被ガイドアーム２６と、弾弁部２２の下部に設けられた滑り部材２７と、弾弁部２２の先端が初期位置から振動弁１０を弾いて待避位置まで移動するように被ガイドアーム２６の上端を案内する軌道が形成されたガイド５３と、弾弁部２２の先端が待避位置から振動弁１０と接触せずに初期位置まで移動するように滑り部材２７を案内する軌道が形成されたガイド５４とを備える。
【００８５】
これにより、ガイド５３が、折り返しのない軌跡に沿って被ガイドアーム２６を案内する構成であり、また、ガイド５４も、折り返しのない軌跡に沿って滑り部材２７を案内するという簡素な構成とすることができるので、ガイド５３、５４の構成を簡素化することができる。
【００８６】
本実施の形態において、ロッド２０は、発明１、３、５又は６の弾弁手段に対応し、被ガイドアーム２６は、発明３の第１被ガイド部材に対応し、滑り部材２７は、発明３の第２被ガイド部材に対応し、支柱３０は、発明１、５又は６の支持手段に対応している。また、ソレノイド４０ａ、４０ｂは、発明１、５又は６の駆動手段に対応し、ガイド５３は、発明１又は３の第１案内手段に対応し、ガイド５４は、発明１又は３の第２案内手段に対応し、初期位置は、発明１又は３の第１基準位置に対応している。
【００８７】
また、本実施の形態において、待避位置は、発明１又は３の第２基準位置に対応している。
【００８８】
〔他の実施の形態〕
なお、上記第１及び第２の実施の形態においては、ソレノイド４０ａ、４０ｂの駆動制御について詳細に説明しなかったが、演奏データを取得し、取得した演奏データに基づいてソレノイド４０ａ、４０ｂを制御するように構成することもできる。演奏データの取得は、例えば、演奏データを記憶した外部メモリ（ＵＳＢメモリ等）から演奏データを読み取ることにより行うこともできるし、ネットワークを介して演奏データを受信することにより行うこともできる。ここで、演奏データは、例えば、楽曲等の音声波形を再生するための音声データ（ＷＡＶデータ等）、楽曲等を再生するための楽譜データ（ＭＩＤＩデータ等）、ソレノイド４０ａ、４０ｂを制御するための制御データとして構成することができる。
【００８９】
これにより、演奏データに基づいた演奏を行うことができる。
さらに、インターネット等のネットワークを介して、オルゴール装置１００と、演奏データ配信サーバを通信可能に接続した構成を採用することもできる。演奏データ配信サーバは、演奏データを記憶するデータベースと、オルゴール装置１００等からの要求に応じてデータベースの演奏データをオルゴール装置１００に送信する送信部とを備える。オルゴール装置１００は、演奏データを受信する受信部と、受信部で受信した演奏データに基づいてソレノイド４０ａ、４０ｂを制御する駆動制御部とを備える。
【００９０】
これにより、演奏データ配信サーバから演奏データを入手することで好みの演奏データに基づいた演奏を行うことができる。
【００９１】
また、上記第１の実施の形態においては、バネ２５を設ける構成を採用したが、これに限らず、バネ２５を設けない構成を採用することもできる。この場合、ソレノイド４０ａ、４０ｂへの通電が解除されると、ロッド２０は、支柱３０の付勢力により弾弁部２２の先端が下方向に移動するように揺動する。
【００９２】
また、上記第２の実施の形態においては、バネ２５を設けない構成を採用したが、これに限らず、バネ２５を設ける構成を採用することもできる。この場合、ソレノイド４０ａ、４０ｂへの通電が解除されると、ロッド２０は、支柱３０及びバネ２５の付勢力により弾弁部２２の先端が下方向に移動するように揺動する。
【００９３】
また、上記第１及び第２の実施の形態においては、ソレノイド４０ａ、４０ｂを設ける構成を採用したが、これに限らず、ソレノイド４０ａだけを設ける構成、ソレノイド４０ｂだけを設ける構成、及び、新たなソレノイドを設ける構成を採用することもできる。
【符号の説明】
【００９４】
１００…オルゴール装置、  １０…振動弁、  ２０…ロッド、  ２１…基軸、  ２２…弾弁部、  ２３…支持部、  ２５…バネ、  ２４、２６…被ガイドアーム、  ２７…滑り部材、  ３０…支柱、  ４０ａ、４０ｂ…ソレノイド、  ５０…ガイドレール、  ５１、５２…案内路、  ５３、５４…ガイド
【要約】
【課題】  全体の駆動構造を簡素化してコストの低減を図り、既存のオルゴールへの適用も可能で駆動制御も簡素化するのに好適なオルゴール装置を提供する。
【解決手段】  オルゴール装置１００は、振動弁１０と上下方向に対向する位置から振動弁１０と上下方向に対向しない位置までの間を左右方向に伸縮可能なロッド２０と、弾弁部２２の先端が振動弁１０の上方から振動弁１０の下方までの間を移動するようにロッド２０を上下方向に揺動可能に支持する支柱３０と、ロッド２０を駆動するソレノイド４０ａ、４０ｂと、弾弁部２２の先端が初期位置から振動弁１０を弾いて待避位置まで及び待避位置から振動弁１０と接触せずに初期位置まで移動するようにロッド２０を案内するガイドレール５０とを備える。
【選択図】  図１【図１】
0005457598.tif 000002
【図２】
0005457598.tif 000003
【図３】
0005457598.tif 000004
【図４】
0005457598.tif 000005
【図５】
0005457598.tif 000006
【図６】
0005457598.tif 000007